(57)【要約】【課題】ストロボを備えるカメラにおいて、外部ストロボを追加することなく、バウンス撮影を可能とする。【解決手段】光を照射する向きが可変な発光部５と、その発光部５の向きの可変動作に連動して、発光部５の光を反射する向きを変える反射部６と、を備える。具体的には、発光部５の光を照射する向きを可変とする発光部回動軸に一体に設けた第１ピニオン１１と、反射部６の光を反射する向きを変える反射部回動軸に一体に設けた第２ピニオン１２と、これら第１ピニオン１１及び第２ピニオン１２がそれぞれ噛み合うラック１３と、を備える。また、反射部６は凹面鏡７である。そして、反射部６は、発光部５の光の照射が水平方向の時には光を反射させず、発光部５の光の照射が斜め下方向の時に光を上方向に反射させる。【選択図】図７
2010224266.tif 000002
【特許請求の範囲】
【請求項１】
光を照射する向きが可変な発光部と、
前記発光部の向きの可変動作に連動して、前記発光部の光を反射する向きを変える反射部と、を備えることを特徴とする照光装置。
【請求項２】
前記発光部の光を照射する向きを可変とする発光部回動軸に一体に設けた第１ピニオンと、
前記反射部の光を反射する向きを変える反射部回動軸に一体に設けた第２ピニオンと、
前記第１ピニオン及び第２ピニオンがそれぞれ噛み合うラックと、を備えることを特徴とする請求項１に記載の照光装置。
【請求項３】
前記反射部は凹面鏡であることを特徴とする請求項１または２に記載の照光装置。
【請求項４】
前記反射部は、前記発光部の光の照射が水平方向の時には光を反射させず、前記発光部の光の照射が斜め下方向の時に光を上方向に反射させることを特徴とする請求項１から３のいずれか一項に記載の照光装置。
【請求項５】
前記発光部を光の照射する向きの変化位置に保持するストッパを備えることを特徴とする請求項１から４のいずれか一項に記載の照光装置。
【請求項６】
請求項１から５のいずれか一項に記載の照光装置を備えることを特徴とする電子機器。
【発明の詳細な説明】
【技術分野】
【０００１】
本発明は、バウンス撮影を可能とする照光装置と、その照光装置を備える電子機器に関する。
【背景技術】
【０００２】
ストロボ内蔵のカメラにおいて、ストロボより発光した光を天井に反射させて間接的に被写体に当てるバウンス撮影を行う場合、カメラ本体にホットシュー等のシンクロ機能を搭載し、外部ストロボを別途装着していた。
【０００３】
そして、外部ストロボの発光部の前方に、斜め下向きに反射ミラーを配置することで、ストロボの発光を反射ミラーで上方の天井に反射させ、被写体を間接的に照明して、バウンス撮影を可能とする技術が特許文献１に開示される。
【先行技術文献】
【特許文献】
【０００４】
【特許文献１】特開平９−１５６９１号公報
【発明の概要】
【発明が解決しようとする課題】
【０００５】
しかし、バウンス撮影のために従来は、外部ストロボを装着する必要があった。
【０００６】
本発明の課題は、ストロボを備えるカメラにおいて、外部ストロボを追加することなく、バウンス撮影を可能とすることである。
【課題を解決するための手段】
【０００７】
以上の課題を解決するため、請求項１に記載の発明は、光を照射する向きが可変な発光部と、前記発光部の向きの可変動作に連動して、前記発光部の光を反射する向きを変える反射部と、を備える照光装置を特徴とする。
【０００８】
請求項２に記載の発明は、請求項１に記載の照光装置であって、前記発光部の光を照射する向きを可変とする発光部回動軸に一体に設けた第１ピニオンと、前記反射部の光を反射する向きを変える反射部回動軸に一体に設けた第２ピニオンと、前記第１ピニオン及び第２ピニオンがそれぞれ噛み合うラックと、を備えることを特徴とする。
【０００９】
請求項３に記載の発明は、請求項１または２に記載の照光装置であって、前記反射部は凹面鏡であることを特徴とする。
【００１０】
請求項４に記載の発明は、請求項１から３のいずれか一項に記載の照光装置であって、前記反射部は、前記発光部の光の照射が水平方向の時には光を反射させず、前記発光部の光の照射が斜め下方向の時に光を上方向に反射させることを特徴とする。
【００１１】
請求項５に記載の発明は、請求項１から４のいずれか一項に記載の照光装置であって、前記発光部を光の照射する向きの変化位置に保持するストッパを備えることを特徴とする。
【００１２】
請求項６に記載の発明は、請求項１から５のいずれか一項に記載の照光装置を備える電子機器を特徴とする。
【発明の効果】
【００１３】
本発明によれば、ストロボを備えるカメラにおいて、外部ストロボを追加することなく、バウンス撮影が可能となる。
【図面の簡単な説明】
【００１４】
【図１】本発明を適用した電子機器の一実施形態の構成を示すもので、カメラの正面図である。
【図２】図１のカメラの平面図である。
【図３】図２の矢印Ａ−Ａ線に沿った断面図である。
【図４】図２の矢印Ｂ−Ｂ線に沿った断面図である。
【図５】図２の矢印Ｃ−Ｃ線に沿った断面図である。
【図６】図４の発光部及び反射部の連動機構を示す側面図である。
【図７】図６の発光部が起き上がる途中を示した図である。
【図８】図７の矢印Ａ部の詳細を示した拡大図である。
【図９】図６の発光部が起立した状態を示した図である。
【図１０】図４の発光部及び反射部のストッパを示すもので、ストロボ収納時を示した側面図である。
【図１１】図１０の発光部が起き上がる途中のバウンス発光時を示した図である。
【図１２】図１０の発光部が起立した通常発光時を示した図である。
【図１３】図３の発光部が起立した通常発光状態を示した図である。
【図１４】図１３の発光部が起き上がる途中位置でのバウンス発光状態を示した図である。
【図１５】図１４の発光部の起き上がり角度が増した位置でのバウンス発光状態を示した図である。
【図１６】図１５の発光部の起き上がり角度がさらに増した位置でのバウンス発光状態を示した図である。
【発明を実施するための形態】
【００１５】
以下、図を参照して本発明を実施するための形態を詳細に説明する。
（実施形態）
図１及び図２は本発明を適用した電子機器の一実施形態の構成としてカメラを示したもので、図３から図５は図２の矢印Ａ−Ａ線、Ｂ−Ｂ線、Ｃ−Ｃ線にそれぞれ沿った断面図、図６から図９は発光部及び反射部の連動機構を示す図、図１０から図１２は発光部及び反射部のストッパを示す図である。
【００１６】
図中、１はカメラ本体、２はレンズ鏡筒、３はストロボ収納部、４はストロボケース、５はストロボ発光部、６は反射部、７は凹面鏡、８はストッパ、９は操作摘み、１１は第１ピニオン、１２は第２ピニオン、１３はラックバー、１４はラックである。
【００１７】
図示のように、カメラ本体１は、前部にレンズ鏡筒２を備えて、上部にストロボ収納部３を備えている。ストロボ収納部３は、上方に開放された内部にストロボケース４と反射部６を収納する。
【００１８】
ストロボケース４は、ストロボ収納部３内の後部に回動軸を介して起倒自在に組み込まれている。このストロボケース４は、回動軸と反対側端部にストロボ発光部５を備えている。すなわち、ストロボ発光部５は、ストロボケース４が回動軸を支点に回動することで、光を照射する向きが前方から下方へと可変となっている。
【００１９】
ここで、ストロボケース４を起こすための動力源は、例えばコイルバネやモーターなど種類は問わない。また、ストロボケース４の起こし動作を開始させるための構成は、例えばスライドフックによる手動解除や、ソレノイド等による自動解除など種類は問わない。
【００２０】
反射部６は、ストロボ収納部３内の前部に回動軸を介して回動自在に組み込まれている。この反射部６は、ストロボ発光部５の光を反射する凹面鏡７を備えている。このように、平面による反射面でなく湾曲させた凹面鏡７により、後述するバウンス撮影時におけるストロボ周辺部の形状でのケラレを減少させることが可能となる。
【００２１】
また、ストロボ収納部３には、ストロボケース４をそのストロボ発光部５から光の照射する向きの変化位置に保持するストッパ８が組み込まれている。このストッパ８には、ストロボ収納部３の一側部から外部に露出する操作摘み９が一体に備えられている。
【００２２】
そして、ストロボケース４の回動軸と一体に第１ピニオン１１が設けられて、反射部６の回動軸と一体に第２ピニオン１２が設けられるとともに、これら第１ピニオン１１及び第２ピニオン１２にラックバー１３が架け渡されている。すなわち、ラックバー１３は、上面に沿って第１ピニオン１１と噛み合うラック１４を有して、下面に沿って第２ピニオン１２と噛み合うラック１４を有している。
【００２３】
ここで、第１ピニオン１１と第２ピニオン１２の異なるギヤ比により、ストロボケース４と反射部６の回転角度を調整して、ストロボケース４が垂直に起立する状態に至る手前において、ストロボ発光部５の照射する光を凹面鏡７が上方に反射するように設定する。
【００２４】
なお、ストロボケース４の回動軸側の端部外周には、ストロボケース４が垂直に起立した状態でストッパ８に当接する第１規制面４１と、ストロボケース４が斜めの角度で起き上がる途中の状態でストッパ８に当接する第２規制面４２が形成されている。この第２規制面４２は、ストロボケース４の回動軸からの距離が第１規制面４１の内周側にくるように設定されている。
【００２５】
次に、以上の構成によるストロボ照光装置の動作を説明する。
【００２６】
図１から図６及び図１０はストロボ収納時を示したものである。このとき、反射部６はその凹面鏡７を後方に向けている。
【００２７】
ここで、次の撮影がバウンス撮影か通常ストロボ撮影かに応じて操作摘み９の操作によりストッパ８を所定位置に予め調整しておく。例えば通常ストロボ撮影を行う場合は、ストロボケース４が垂直に起立した状態で第１規制面４１に当接する位置にストッパ８の位置を調整する。また、バウンス撮影を行う場合には、ストロボケース４が斜めの角度で起き上がる途中の状態で第２規制面４２に当接する位置にストッパ８の位置を調整する。
【００２８】
図９、図１２及び図１３は通常ストロボ撮影時を示したものである。すなわち、図示しないストロボポップアップスイッチを操作すると、ストロボ収納部３に収納状態のストロボケース４が回動軸と一体に回動して、その下端部の第１規制面４１がストッパ８に当接し、図示のように、ストロボケース４が垂直に起立して、ストロボ発光部５が前方へ向いた状態に保たれる。
【００２９】
同時に、ストロボケース４の回動軸と一体の第１ピニオン１１に上面のラック１４が噛み合うラックバー１３が前方に移動するとともに、そのラックバー１３の下面のラック１４に噛み合う第２ピニオン１２が回動軸に一体の反射部６が回動して、凹面鏡７が前方へ向いた状態になる。
【００３０】
この状態で、図示しないシャッターボタンを押すと、図１３に示したように、同時に前方へ向いたストロボ発光部５から光が照射されて、通常ストロボ撮影が行われる。
【００３１】
図７、図１１及び図１６はバウンス撮影時を示したものである。すなわち、図示しないバウンススイッチを操作すると、ストロボ収納部３に収納状態のストロボケース４が回動軸と一体に回動して、その下端部の第２規制面４２がストッパ８に当接し、図示のように、ストロボケース４が起き上がる途中の斜めの状態で、ストロボ発光部５が斜め前下方へ向いた状態に保たれる。
【００３２】
同時に、ストロボケース４の回動軸と一体の第１ピニオン１１に上面のラック１４が噛み合うラックバー１３が前方に移動するとともに、そのラックバー１３の下面のラック１４に噛み合う第２ピニオン１２が回動軸に一体の反射部６が回動して、凹面鏡７が上方へ向いた状態になる。
【００３３】
この状態で、図示しないシャッターボタンを押すと、図１６に示したように、同時に斜め前下方へ向いたストロボ発光部５から照射された光が凹面鏡７により上方に反射されて、図示しない天井に反射させてから間接的に被写体に当てるバウンス撮影が行われる。
【００３４】
以上のように、ストロボを備えるカメラにおいて、外部ストロボを追加することなく、バウンス撮影することができる。
【００３５】
（変形例）
図１４、図１５はバウンス撮影時の変形例を示したものである。すなわち、ストロボ発光部５の起き上がり角度が小さい二位置でのバウンス発光状態を示したもので、ストロボケース４が斜めの角度で起き上がる途中の状態でストッパ８に当接する第３規制面、第４規制面が形成される。その第３規制面、第４規制面は、ストロボケース４の回動軸からの距離が第２規制面４２の内周側に順次くるように設定される。
【００３６】
（他の変形例）
なお、以上の実施形態においては、カメラとしたが、本発明はこれに限定されるものではなく、カメラを備える携帯電話などの機器であってもよい。
また、発光部及び反射部の形状・構成等も任意であり、その他、具体的な細部構造等についても適宜に変更可能であることは勿論である。
【符号の説明】
【００３７】
１  カメラ本体
２  レンズ鏡筒
３  ストロボ収納部
４  ストロボケース
５  ストロボ発光部
６  反射部
７  凹面鏡
８  ストッパ
９  操作摘み
１１  第１ピニオン
１２  第２ピニオン
１３  ラックバー
１４  ラック
４１  第１規制面
４２  第２規制面
【図１】
2010224266.tif 000003
【図２】
2010224266.tif 000004
【図３】
2010224266.tif 000005
【図４】
2010224266.tif 000006
【図５】
2010224266.tif 000007
【図６】
2010224266.tif 000008
【図７】
2010224266.tif 000009
【図８】
2010224266.tif 000010
【図９】
2010224266.tif 000011
【図１０】
2010224266.tif 000012
【図１１】
2010224266.tif 000013
【図１２】
2010224266.tif 000014
【図１３】
2010224266.tif 000015
【図１４】
2010224266.tif 000016
【図１５】
2010224266.tif 000017
【図１６】
2010224266.tif 000018